(57)【要約】      （修正有）【課題】地下トンネルに連設している、直径７５０ｍｍの小径のマンホールを容易に通過し、地下トンネル内の作業空間に足場を容易に搬入することができ、作業空間内においては、足場の幅を適宜調節することのできる枠組み足場を提供する。【解決手段】枠組み足場１は連結部２を介して接続している一対の脚柱３から構成される基礎脚部４と、連結部２を介して接続している一対の脚柱３から構成される移動脚部６を備え、基礎脚部４を構成する一対の脚柱３には側方に向けて複数の保持パイプ１４を設ける一方、移動脚部６を構成する一対の脚柱３には側方に向けて複数の支持杆１５を設け、移動脚部６の支持杆１５を基礎脚部４の保持パイプ１４に挿入して対向するように組み付けた基礎脚部４と移動脚部６により自立する枠組み足場１を構成し、基礎脚部４の保持パイプ内１４において移動脚部６の支持杆１５を移動させて幅の調節が可能である。【選択図】図２
2012036706.tif 000002
【特許請求の範囲】
【請求項１】
連結部を介して接続している一対の脚柱から構成される基礎脚部と、同じく連結部を介して接続している一対の脚柱から構成される移動脚部を備え、基礎脚部を構成する一対の脚柱には、側方に向けて複数の保持パイプを設ける一方、移動脚部を構成する一対の脚柱には、側方に向けて複数の支持杆を設け、移動脚部の支持杆を基礎脚部の保持パイプに挿入して、対向するように組み付けた基礎脚部と移動脚部により自立する枠組み足場を構成し、基礎脚部の保持パイプ内において移動脚部の支持杆を移動させて、幅の調節が可能である枠組み足場。
【請求項２】
基礎脚部と移動脚部における連結部は、いずれも、一対の脚柱間に取り付けた着脱可能な筋交いである請求項１に記載の幅の調節が可能である枠組み足場。
【請求項３】
対向するように組み付けた基礎脚部と移動脚部に、幅調節手段を設け、該幅調節手段は、基礎脚部の脚柱と移動脚部の脚柱の間に取り付けた、交差筋交いである請求項１に記載の幅の調節が可能である枠組み足場。
【請求項４】
幅調節手段を構成する交差筋交いは、所定の長さを有する第１筋交いと第２筋交いにより構成され、中央の交差部分を軸止めして第１筋交いと第２筋交いを回動可能に接合し、第１筋交いと第２筋交いの下端部を、基礎脚部の脚柱と移動脚部の脚柱における下方部分に取り付ける一方、基礎脚部の脚柱と移動脚部の脚柱における上方部分において、複数の取付孔を脚柱の長手方向に沿って設け、第１筋交いと第２筋交いの上端部を、特定の取付孔に宛がって取り付けている請求項３に記載の幅の調節が可能である枠組み足場。
【請求項５】
第１筋交いと第２筋交いの上端部に、掛け止め機構を有する突出体を設け、該突出体を、基礎脚部の脚柱と移動脚部の脚柱に設けている特定の取付孔に宛がって挿入している請求項４に記載の幅の調節が可能である枠組み足場。
【請求項６】
第１筋交いと第２筋交いの突出体は、いずれも所定の長さの筒状部により形成され、該筒状部は、掛け止め機構として、筒状部に回動可能に取り付けた掛止片と、この掛止片に当接する操作杆を備えている請求項５に記載の幅の調節が可能である枠組み足場。
【請求項７】
筒状部に回動可能に取り付けた掛止片は、筒状部内に収容されている状態と、筒状部の周壁に設けている切り込みを介して、筒状部外に突出している状態を維持する請求項６に記載の幅の調節が可能である枠組み足場。
【請求項８】
操作杆は、筒状部内に摺動自在に配置され、操作杆の先端部が掛止片から離れているときは、掛止片が筒状部内に収容されている状態を維持し、操作杆の先端部が掛止片に当接しているときは、掛止片が回動して筒状部外に突出している状態を維持する請求項６に記載の幅の調節が可能である枠組み足場。
【発明の詳細な説明】
【技術分野】
【０００１】
本発明は、例えば、電力ケーブルが敷設されている地下トンネル内における所定の作業空間において使用する、幅の調節が可能である枠組み足場である。具体的には、幅を狭くした状態で、地下トンネルに連設している比較的に小径のマンホールを介して、地下トンネル内に容易に搬入することができ、地下トンネル内の作業空間においては、幅を広げて使用することができる、幅の調節が可能である枠組み足場に関するものである。
【背景技術】
【０００２】
電力ケーブルが敷設されている地下トンネル内においては、所定の作業空間が存在している。この作業空間としては、種々の規模のものが存在しているが、比較的に大規模なものとして、例えば、幅６メートル・高さ１０メートル・長さ３０メートルの横長矩形状の作業空間が存在している。
【０００３】
この様な比較的に大規模な作業空間においては、作業位置が高所にも及ぶことから、所定の枠組み足場が設置されて、種々の作業が実施されている。
【０００４】
この地下トンネル内の作業空間に設置される枠組み足場としては、足場の高さや幅等が所定の寸法に固定されている、特定の規格品が使用されている。
【０００５】
即ち、地下トンネル内の作業空間に枠組み足場を搬入するときに、地下トンネルに連設している、直径７５０ｍｍの比較的に小径のマンホールを通過しなければならないことから、枠組み足場の幅が６００ｍｍの寸法となる特定の規格品しか使用できないのが実情であった。
【先行技術文献】
【特許文献】
【０００６】
【特許文献１】特になし
【発明の概要】
【発明が解決しようとする課題】
【０００７】
しかしながら、地下トンネル内の作業空間に設置される枠組み足場として、幅が６００ｍｍの寸法となる特定の規格品が使用されていたことから、地下トンネル内の作業空間において実施する、様々な作業内容に適宜対応した好ましい高さや幅等を備えた枠組み足場を構築することが困難であった。
【０００８】
地下トンネル内の作業空間において、例えば、作業員が比較的に低い位置で作業を行うときは、規格品としての足場を使用して対応できるものの、例えば、高さが１０メートルにもなる作業空間において、作業員が高い位置で作業を行うときは、特定の規格品としての足場を使用して、充分な高さと安定性を有する枠組み足場を構築することができなかったのである。
【０００９】
この様な場合、複数の単管をクランプ等を使用して組み上げ、地下トンネル内の作業空間に枠組み足場を構築する措置が採られているが、枠組み足場を構築する技能を備えていない作業員にとっては、堅牢性と安全性を備えた枠組み足場を構築することが現実的に困難である。
【００１０】
そこで、本発明は如上のような従来存した諸事情に鑑み創出されたもので、地下トンネルに連設している、直径７５０ｍｍの比較的に小径のマンホールを容易に通過して、地下トンネル内の作業空間に足場を容易に搬入することができ、また、地下トンネル内の作業空間においては、足場の幅を適宜調節して、地下トンネル内の作業空間において実施する、様々な作業内容に適宜対応した好ましい高さや幅等を備えた枠組み足場を構築することのできる、幅の調節が可能である枠組み足場を提供することを目的とする。
【課題を解決するための手段】
【００１１】
本発明に係る幅の調節が可能である枠組み足場は、連結部を介して接続している一対の脚柱から構成される基礎脚部と、同じく連結部を介して接続している一対の脚柱から構成される移動脚部を備え、基礎脚部を構成する一対の脚柱には、側方に向けて複数の保持パイプを設ける一方、移動脚部を構成する一対の脚柱には、側方に向けて複数の支持杆を設け、移動脚部の支持杆を基礎脚部の保持パイプに挿入して、対向するように組み付けた基礎脚部と移動脚部により自立する枠組み足場を構成し、基礎脚部の保持パイプ内において移動脚部の支持杆を移動させて、幅の調節が可能であることで、同じく上述した課題を解決した。
【００１２】
また、基礎脚部と移動脚部における連結部は、いずれも、一対の脚柱間に取り付けた着脱可能な筋交いであることで、同じく上述した課題を解決した。
【００１３】
さらに、対向するように組み付けた基礎脚部と移動脚部に、幅調節手段を設け、該幅調節手段は、基礎脚部の脚柱と移動脚部の脚柱の間に取り付けた、交差筋交いであることで、同じく上述した課題を解決した。
【００１４】
また、幅調節手段を構成する交差筋交いは、所定の長さを有する第１筋交いと第２筋交いにより構成され、中央の交差部分を軸止めして第１筋交いと第２筋交いを回動可能に接合し、第１筋交いと第２筋交いの下端部を、基礎脚部の脚柱と移動脚部の脚柱における下方部分に取り付ける一方、基礎脚部の脚柱と移動脚部の脚柱における上方部分において、複数の取付孔を脚柱の長手方向に沿って設け、第１筋交いと第２筋交いの上端部を、特定の取付孔に宛がって取り付けていることで、同じく上述した課題を解決した。
【００１５】
加えて、第１筋交いと第２筋交いの上端部に、掛け止め機構を有する突出体を設け、該突出体を、基礎脚部の脚柱と移動脚部の脚柱に設けている特定の取付孔に宛がって挿入していることで、同じく上述した課題を解決した。
【００１６】
また、第１筋交いと第２筋交いの突出体は、いずれも所定の長さの筒状部により形成され、該筒状部は、掛け止め機構として、筒状部に回動可能に取り付けた掛止片と、この掛止片に当接する操作杆を備えていることで、同じく上述した課題を解決した。
【００１７】
この他、筒状部に回動可能に取り付けた掛止片は、筒状部内に収容されている状態と、筒状部の周壁に設けている切り込みを介して、筒状部外に突出している状態を維持することで、同じく上述した課題を解決した。
【００１８】
また、操作杆は、筒状部内に摺動自在に配置され、操作杆の先端部が掛止片から離れているときは、掛止片が筒状部内に収容されている状態を維持し、操作杆の先端部が掛止片に当接しているときは、掛止片が回動して筒状部外に突出している状態を維持することで、同じく上述した課題を解決した。
【発明の効果】
【００１９】
本発明に係る幅の調節が可能である枠組み足場は、連結部を介して接続している一対の脚柱から構成される基礎脚部と、同じく連結部を介して接続している一対の脚柱から構成される移動脚部を備え、基礎脚部を構成する一対の脚柱には、側方に向けて複数の保持パイプを設ける一方、移動脚部を構成する一対の脚柱には、側方に向けて複数の支持杆を設け、移動脚部の支持杆を基礎脚部の保持パイプに挿入して、対向するように組み付けた基礎脚部と移動脚部により自立する枠組み足場を構成し、基礎脚部の保持パイプ内において移動脚部の支持杆を移動させて、足場の幅を容易に調節できる。
【００２０】
その為、地下トンネル内の作業空間において、足場の幅を適宜調節して、地下トンネル内の作業空間において実施する、様々な作業内容に適宜対応した好ましい高さや幅等を備えた枠組み足場を構築することができる。
【００２１】
このとき、比較的に簡単な作業により足場の幅を適宜調節できることから、特別な技能も必要とせず、誰もが堅牢性と安全性を備えた枠組み足場を構築することができる。
【００２２】
また、基礎脚部と移動脚部における連結部は、いずれも、一対の脚柱間に取り付けた着脱可能な筋交いであることから、一対の脚柱間に筋交いを取り付けているときには、基礎脚部と移動脚部の強度を保持して、枠組み足場全体の堅牢性を維持することができる。
【００２３】
これに対し、一対の脚柱間から筋交いを取り外したときには、対向するように組み付けている一方の基礎脚部・移動脚部と、同様に対向するように組み付けている他方の基礎脚部・移動脚部同士を重ね合わせて、足場の全体を、コンパクトな平板状にすることができる。
【００２４】
その為、地下トンネルに連設している、直径７５０ｍｍの比較的に小径のマンホールを介して、地下トンネル内の作業空間に枠組み足場を容易に搬入することができる。
【００２５】
さらに、足場の全体を、コンパクトな平板状にすることができることから、複数の足場を嵩張ることなく、トラック等を介して容易に運搬することができる。また、倉庫等に保管するときにも、スペースが低減されて、その管理費用を削減することができる。
【００２６】
加えて、対向するように組み付けた基礎脚部と移動脚部に、幅調節手段を設け、該幅調節手段は、基礎脚部の脚柱と移動脚部の脚柱の間に取り付けた、交差筋交いであることから、比較的に簡単な構成により、足場の幅を適宜調節することができる。
【００２７】
また、幅調節手段を構成する交差筋交いは、所定の長さを有する第１筋交いと第２筋交いにより構成され、中央の交差部分を軸止めして第１筋交いと第２筋交いを回動可能に接合し、第１筋交いと第２筋交いの下端部を、基礎脚部の脚柱と移動脚部の脚柱における下方部分に取り付ける一方、基礎脚部の脚柱と移動脚部の脚柱における上方部分において、複数の取付孔を脚柱の長手方向に沿って設け、第１筋交いと第２筋交いの上端部を、特定の取付孔に宛がって取り付けていることから、足場全体の堅牢性を維持しながら、足場の幅を適宜調節することができる。
【００２８】
さらに、第１筋交いと第２筋交いの上端部に、掛け止め機構を有する突出体を設け、該突出体を、基礎脚部の脚柱と移動脚部の脚柱に設けている特定の取付孔に宛がって挿入していることから、比較的に簡単な操作により、足場の幅を適宜調節することができる。
【００２９】
また、第１筋交いと第２筋交いの突出体は、いずれも所定の長さの筒状部により形成され、該筒状部は、掛け止め機構として、筒状部に回動可能に取り付けた掛止片と、この掛止片に当接する操作杆を備えていることから、この操作杆を操作して掛止片を回動させることにより、特定の取付孔に宛がって挿入している突出体が、当該取付孔から抜け落ちてしまう事態の発生を阻止している。
【００３０】
加えて、筒状部に回動可能に取り付けた掛止片は、筒状部内に収容されている状態と、筒状部の周壁に設けている切り込みを介して、筒状部外に突出している状態を維持することから、掛止片が筒状部内に収容されている状態において、突出体を特定の取付孔に宛がって容易に挿入できる。
【００３１】
これに対し、掛止片が筒状部外に突出している状態において、特定の取付孔に宛がって挿入している突出体が、当該取付孔から抜け落ちてしまう事態の発生を阻止している。
【００３２】
この他、操作杆は、筒状部内に摺動自在に配置され、操作杆の先端部が掛止片から離れているときは、掛止片が筒状部内に収容されている状態を維持し、操作杆の先端部が掛止片に当接しているときは、掛止片が回動して筒状部外に突出している状態を維持することから、操作杆の操作により、突出体を特定の取付孔に宛がって容易に挿入できる状態と、特定の取付孔に宛がって挿入している突出体が、当該取付孔から抜け落ちてしまう事態の発生を阻止している状態を容易に維持することができる。
【図面の簡単な説明】
【００３３】
【図１】着脱可能な筋交いを介して接続している一対の脚柱から構成される基礎脚部と、同じく着脱可能な筋交いを介して接続している一対の脚柱から構成される移動脚部の構成を示す斜視図である。
【図２】対向するように組み付けた基礎脚部と移動脚部により自立する枠組み足場を構成し、幅調節手段により枠組み足場の幅を狭くしている状態の斜視図である。
【図３】対向するように組み付けた基礎脚部と移動脚部により自立する枠組み足場を構成し、幅調節手段により枠組み足場の幅を広くしている状態の斜視図である。
【図４】対向するように組み付けた基礎脚部と移動脚部により自立する枠組み足場の構成を示すもので、（ａ）は幅調節手段により枠組み足場の幅を狭くしている状態の側面図、（ｂ）は幅調節手段により枠組み足場の幅を広くしている状態の側面図である。
【図５】第１筋交いの突出体を基礎脚部の脚柱に設けている特定の取付孔に取り付ける状態を示すもので、（ａ）は突出体を取付孔に挿入する状態を示す分解斜視図、（ｂ）は突出体を取付孔に挿入した状態を示す斜視図、（ｃ）は掛止片を回動させて、筒状部の上方の切り込み・下方の切り込みから、掛止片の両端部を突出させている状態を示す斜視図である。
【図６】突出体の構成を示すもので、（ａ）は筒状部内に操作杆を挿入する状態を示す分解斜視図、（ｂ）は筒状部内に操作杆を挿入した状態を示す斜視図、（ｃ）は操作杆を移動させて、筒状部の上方の切り込み・下方の切り込みから、掛止片の両端部を突出させている状態を示す斜視図である。
【図７】対向するように組み付けた基礎脚部と移動脚部により自立する枠組み足場に、他の枠組み足場を積み重ねている状態を示す斜視図である。
【図８】一対の脚柱間から筋交いを取り外して、対向するように組み付けている一方の基礎脚部・移動脚部と、同様に対向するように組み付けている他方の基礎脚部・移動脚部同士を重ね合わせている状態を示す斜視図である。
【発明を実施するための形態】
【００３４】
以下に、本発明を実施するための形態を、図面を参照して詳細に説明する。
【００３５】
本発明に係る幅の調節が可能である枠組み足場１は、図１・図２に示すように、連結部２を介して接続している一対の脚柱３から構成される基礎脚部４と、同じく連結部２を介して接続している一対の脚柱５から構成される移動脚部６を備えている。
【００３６】
一対の脚柱３・５は、いずれも所定の長さを有する円筒状に形成されている。また、一対の脚柱３は、図１に示すように、連結部２としての着脱可能な筋交い７を介して接続されている。同様に、一対の脚柱５も、連結部２としての着脱可能な筋交い７を介して接続されている。
【００３７】
さらに、一対の脚柱３・５の下端部には、基礎脚部４と移動脚部６の高さを調節する、ジャッキベース部材８が設けられている。
【００３８】
ジャッキベース部材８は、ハンドル９を有する回転操作部１０を備えている。この回転操作部１０の内周面には、雌ネジが設けられている。また、回転操作部１０には、四角形状の接地板１１に固定した棒状部材１２が進退自在に取り付けられている。棒状部材１２は、基端部側に雄ネジを設けており、この棒状部材１２の雄ネジを、回転操作部１０の内周面に設けている雌ネジに螺合させて、回転操作部１０に棒状部材１２が進退自在に取り付けられている。
【００３９】
加えて、一対の脚柱３・５の上端部には、円柱状の突出片１３を設けている。この突出片１３は、脚柱３・５自体の経よりも小径に形成されている。
【００４０】
また、図１に示すように、基礎脚部４を構成する一対の脚柱３には、それぞれ側方に向けて２本の保持パイプ１４を、所定の間隔を開けて設けている。この保持パイプ１４は、所定の長さを有する円筒状に形成されている。
【００４１】
一方、移動脚部６を構成する一対の脚柱５には、それぞれ側方に向けて２本の支持杆１５を、所定の間隔を開けて設けている。この支持杆１５は、基礎脚部４の保持パイプ１４に挿入できる円柱状に形成されている。
【００４２】
そして、図２に示すように、移動脚部６の支持杆１５を基礎脚部４の保持パイプ１４に挿入して、対向するように組み付けた基礎脚部４と移動脚部６により自立する枠組み足場１を構成している。この枠組み足場１は、図２・図３に示すように、基礎脚部４の保持パイプ内１４において移動脚部６の支持杆１５を移動させることにより、幅の調節が可能となっている。
【００４３】
さらに、対向するように組み付けた基礎脚部４と移動脚部６の間には、図２・図３に示すように、幅調節手段２０を設けている。この幅調節手段２０は、基礎脚部４の脚柱３と移動脚部６の脚柱５の間に取り付けた、交差筋交い２１である。
この幅調節手段２０としての交差筋交い２１は、組み付けている基礎脚部４と移動脚部６において、左右の両側に配置されている。
【００４４】
幅調節手段２０を構成する交差筋交い２１は、図２・図３に示すように、所定の長さを有する第１筋交い２１Ａと第２筋交い２１Ｂにより構成され、中央の交差部分を軸止めして、第１筋交い２１Ａと第２筋交い２１Ｂを回動可能に接合している。
【００４５】
この交差筋交い２１は、図４（ａ）（ｂ）に示すように、第１筋交い２１Ａの下端部を、移動脚部６の脚柱５における下方部分に取り付けている。また、第２筋交い２１Ｂの下端部を、基礎脚部４の脚柱３における下方部分に取り付けている。
【００４６】
加えて、図２・図３に示すように、基礎脚部４の脚柱３と移動脚部６の脚柱５における上方部分において、複数の取付孔２２を、脚柱３・５の長手方向に沿って設けている。
【００４７】
そして、図４（ａ）（ｂ）に示すように、第１筋交い２１Ａの上端部を、基礎脚部４の脚柱３における特定の取付孔２２に宛がって取り付けている。同様に、第２筋交い２１Ｂの上端部を、移動脚部６の脚柱５における特定の取付孔２２に宛がって取り付けている。このとき、第１筋交い２１Ａの上端部・第２筋交い２１Ｂの上端部を宛がって取り付けるそれぞれの取付孔２２の位置は、同一の水平線上に位置するものである。
【００４８】
具体的には、図２・図４（ａ）に示すように、第１筋交い２１Ａと第２筋交い２１Ｂの上端部を、脚柱３・５における上方の取付孔２２に宛がって取り付けているときは、枠組み足場１の幅が狭いものとなる。
【００４９】
これに対し、図３・図４（ｂ）に示すように、第１筋交い２１Ａと第２筋交い２１Ｂの上端部を、脚柱３・５における下方の取付孔２２に宛がって取り付けているときは、枠組み足場１の幅が広いものとなる。
【００５０】
この他、図５（ａ）に示すように、第１筋交い２１Ａの上端部に、突出体３０を設けている。この突出体３０は、所定の掛け止め機構３０Ａを有している。同様に、第２筋交い２１Ｂの上端部にも、掛け止め機構３０Ａを有する突出体３０を設けている。
【００５１】
この第１筋交い２１Ａの突出体３０は、図５（ａ）（ｂ）に示すように、基礎脚部４の脚柱３に設けている特定の取付孔２２に宛がって挿入するものである。また、第２筋交い２１Ｂの突出体３０は、図４（ａ）（ｂ）に示すように、移動脚部６の脚柱５に設けている特定の取付孔２２に宛がって挿入するものである。
【００５２】
第１筋交い２１Ａと第２筋交い２１Ｂに設けている掛け止め機構３０Ａを有する突出体３０は、いずれも同一形状に構成されていることから、以下の説明を、図６に示す第２筋交い２１Ｂの突出体３０を一例にして行う。
【００５３】
第２筋交い２１Ｂ（第１筋交い２１Ａ）の掛け止め機構３０Ａを有する突出体３０は、図６（ａ）に示すように、所定の長さの筒状部３１により形成されている。この筒状部３１は、第２筋交い２１Ｂ（第１筋交い２１Ａ）の上端部において、板状の第２筋交い２１Ｂ（第１筋交い２１Ａ）の一側面に固定されている。このとき、筒状部３１の開口部は、板状の第２筋交い２１Ｂ（第１筋交い２１Ａ）の他面側に向けて露出している。
【００５４】
また、第２筋交い２１Ｂ（第１筋交い２１Ａ）の突出体３０は、図６（ｂ）（ｃ）に示すように、掛け止め機構３０Ａとして、筒状部３１に回動可能に取り付けた掛止片３２を備えている。さらに、第２筋交い２１Ｂ（第１筋交い２１Ａ）の突出体３０は、図６（ｂ）（ｃ）に示すように、掛け止め機構３０Ａとして、掛止片３２に当接する操作杆３３を備えている。
【００５５】
掛止片３２は、板状に形成され、所定の軸部４０を介して、筒状部３１に回動可能に取り付けられている。この掛止片３２は、図６（ａ）（ｂ）に示すように、筒状部３１内に収容されている状態と、図６（ｃ）に示すように、両端部が筒状部３１の外側に突出している状態を維持するものである。
【００５６】
掛止片３２は、図６（ａ）（ｂ）に示すように、所定の軸部４０を介して筒状部３１に取り付けられているが、軸部４０の上方及び下方に位置している筒状部３１の周壁には、それぞれ切り込み３４Ａ・３４Ｂを設けている。筒状部３１における上方の切り込み３４Ａは、所定の長さを有しており、その一端部が軸部４０の上方に位置し、他端部が第２筋交い２１Ｂ（第１筋交い２１Ａ）に近接する方向に配置されている。また、筒状部３１における下方の切り込み３４Ｂも、所定の長さを有しており、その一端部が軸部４０の下方に位置し、他端部が第２筋交い２１Ｂ（第１筋交い２１Ａ）から離れる方向に配置されている。
【００５７】
掛止片３２は、図６（ａ）（ｂ）に示すように、筒状部３１内の長手方向に沿うように収容されているとき、その両端部は、上方の切り込み３４Ａ・下方の切り込み３４Ｂから大きく突出することの無いように部材が切除されて、掛止片３２全体が平行四辺形となるように形成されている（図６（ｃ）参照）。
【００５８】
また、掛止片３２は、筒状部３１内に収容されている状態において、下方の切り込み３４Ｂ側に位置している端部が、筒状部３１内に配置されているバネ等の弾性部材３５に接続されている。この弾性部材３５は、図６（ａ）（ｂ）に示すように、掛止片３２が筒状部３１内に収容されている状態を維持するように付勢するものである。
【００５９】
そして、弾性部材３５の付勢力に抗して、図６（ｃ）に示すように、掛止片３２を、筒状部３１の長手方向に直交するように回動させたとき、筒状部３１の上方の切り込み３４Ａ・下方の切り込み３４Ｂから、掛止片３２の両端部が大きく突出することとなる。
【００６０】
この掛止片３２の回動は、図６（ｂ）（ｃ）に示すように、筒状部３１内に配置されている操作杆３３を操作して行う。
【００６１】
操作杆３３は、図６（ａ）に示すように、所定の長さの円柱状に形成されており、図６（ｂ）（ｃ）に示すように、筒状部３１内に摺動自在に収容されている。この操作杆３３は、図６（ａ）に示すように、円柱の端部における周壁面に、所定の操作突起３６を設けている。
【００６２】
また、筒状部３１には、図６（ａ）に示すように、軸部４０の近傍から第２筋交い２１Ｂ（第１筋交い２１Ａ）に近接する方向に、水平の長尺な切り込み３７を設けている。この長尺な切り込み３７における軸部４０寄りの端部には、上向きの短尺な切り込み３８を連設している。
【００６３】
そして、筒状部３１内に収容している操作杆３３は、図６（ｂ）（ｃ）に示すように、その操作突起３６が、筒状部３１に設けている長尺な切り込み３７と短尺な切り込み３８に係合するように、筒状部３１内を移動する。
【００６４】
このとき、操作杆３３は、図６（ｂ）に示すように、操作突起３６が長尺な切り込み３７における第２筋交い２１Ｂ（第１筋交い２１Ａ）寄りに位置して、操作杆３３の端部が第２筋交い２１Ｂ（第１筋交い２１Ａ）から突出するように退避しているとき、掛止片３２は、弾性部材３５の付勢力により、掛止片３２の全体が筒状部３１内に収容されている状態が維持されている。
【００６５】
これに対し、操作杆３３は、図６（ｃ）に示すように、操作突起３６が上向きの短尺な切り込み３８に位置しているとき、操作杆３３の端部が掛止片３２に当接する。その為、掛止片３２が弾性部材３５の付勢力に抗して、筒状部３１の長手方向に直交するように回動し、掛止片３２の両端部が、筒状部３１の上方の切り込み３４Ａ・下方の切り込み３４Ｂから大きく突出した状態が維持される。
【００６６】
そして、図４（ａ）に示すように、枠組み足場１の幅を狭くするときは、図６（ｂ）に示すように、突出体３０の掛け止め機構３０Ａを構成する操作杆３３の操作突起３６が長尺な切り込み３７における第２筋交い２１Ｂ（第１筋交い２１Ａ）寄りに位置して、操作杆３３の端部が第２筋交い２１Ｂ（第１筋交い２１Ａ）から突出するように退避している状態で、第２筋交い２１Ｂの突出体３０を、移動脚部６の脚柱５における上方の取付孔２２に宛がって挿入する。
【００６７】
同様に、図５（ａ）（ｂ）に示すように、第１筋交い２１Ａの突出体３０も、基礎脚部４の脚柱３における上方の取付孔２２に宛がって挿入する。
【００６８】
次に、図５（ｃ）・図６（ｃ）に示すように、突出体３０の掛け止め機構３０Ａを構成する操作杆３３を押し込んで、操作杆３３の操作突起３６を、上向きの短尺な切り込み３８に位置させる。このとき、操作杆３３の端部が掛止片３２に当接して、掛止片３２が弾性部材３５の付勢力に抗して筒状部３１の長手方向に直交するように回動し、掛止片３２の両端部が、筒状部３１の上方の切り込み３４Ａ・下方の切り込み３４Ｂから大きく突出した状態が維持されて、第１筋交い２１Ａの突出体３０が、基礎脚部４の脚柱３における取付孔２２から抜け落ちてしまう事態の発生を阻止している。同様に、第２筋交い２１Ｂの突出体３０も、移動脚部６の脚柱５における取付孔２２から抜け落ちてしまう事態の発生を阻止している。
【００６９】
一方、図４（ｂ）に示すように、枠組み足場１の幅を広くするときは、図６（ｂ）に示すように、突出体３０の掛け止め機構３０Ａを構成する操作杆３３の操作突起３６を、長尺な切り込み３７における第２筋交い２１Ｂ（第１筋交い２１Ａ）寄りに位置して、操作杆３３の端部が第２筋交い２１Ｂ（第１筋交い２１Ａ）から突出するように退避している状態とし、上方の取付孔２２から突出体３０を抜き取る。同様に、第１筋交い２１Ａの突出体３０も、基礎脚部４の脚柱３における取付孔２２から抜き取る。
【００７０】
次に、図４（ｂ）に示すように、第１筋交い２１Ａ・第２筋交い２１Ｂの突出体３０を、脚柱３・５における下方の取付孔２２に宛がって挿入する。
【００７１】
そして、図５（ｃ）・図６（ｃ）に示すように、突出体３０の掛け止め機構３０Ａを構成する操作杆３３を押し込んで、操作杆３３操作突起３６を、上向きの短尺な切り込み３８に位置させて、掛止片３２の両端部が、筒状部３１の上方の切り込み３４Ａ・下方の切り込み３４Ｂから大きく突出した状態とし、突出体３０が、脚柱３・５における取付孔２２から抜け落ちてしまう事態の発生を阻止する。
【００７２】
この様にして、例えば、図２・図３に示すように、対向するように組み付けた基礎脚部４と移動脚部６により、ジャッキベース部材を備えた自立する枠組み足場１を構成するものであるが、必要に応じて、図７に示すように、自立する枠組み足場１に、他の枠組み足場１を積み重ねて使用しても良い。
【００７３】
積み重ねる枠組み足場１は、ジャッキベース部材を備えておらず、基礎脚部４と移動脚部６を構成する脚柱３・５の下端部に、所定の取り付け穴を設けている。そして、ジャッキベース部材８を備えた枠組み足場１の突出片１３を、脚柱３・５の取り付け穴に挿入して、自立する枠組み足場１の上に、他の枠組み足場１を積み重ねるのである。
【００７４】
尚、図７に示す枠組み足場１は、二段に構成されているが、これに限定されることはなく、３段以上に枠組み足場１を積み重ねても良い。
【００７５】
この他、枠組み足場１を、直径７５０ｍｍの比較的に小径のマンホールを介して、地下トンネル内の作業空間に搬入するとき、また、枠組み足場１をトラック等を介して運搬するとき、さらには、倉庫等に保管するとき等には、図８に示すように、一対の脚柱３間・一対の脚柱５間から着脱可能な筋交い７を取り外す。
【００７６】
そして、対向するように組み付けている一方の基礎脚部４（３）・移動脚部６（５）と、同様に対向するように組み付けている他方の基礎脚部４（３）・移動脚部６（５）同士を重ね合わせて、全体をコンパクトな平板状にする。
【００７７】
この様なコンパクトな平板状となっている一方の基礎脚部４（３）・移動脚部６（５）、他方の基礎脚部４（３）・移動脚部６（５）同士は、例えば、所定の紐部材等を用いて結び付けておくことにより、一体的な保管・運搬が極めて容易となる。
【００７８】
同様に、取り外した筋交い７も、図８に示すように、全体が閉じている状態とし、所定の紐部材等を用いて結び付けておくことにより、その保管・運搬が極めて容易となる。
【産業上の利用可能性】
【００７９】
本発明に係る幅の調節が可能である枠組み足場は、例えば、電力ケーブルが敷設されている地下トンネル内における所定の作業空間において使用することの外に、様々な作業現場において広く利用することができる。
【符号の説明】
【００８０】
１…枠組み足場
２…連結部
３…脚柱
４…基礎脚部
５…脚柱
６…移動脚部
７…着脱可能な筋交い
８…ジャッキベース部材
９…ハンドル
１０…回転操作部
１１…接地板
１２…棒状部材
１３…突出片
１４…保持パイプ
１５…支持杆
２０…幅調節手段
２１…交差筋交い
２１Ａ…第１筋交い
２１Ｂ…第２筋交い
２２…取付孔
３０Ａ…掛け止め機構
３０…突出体
３１…筒状部
３２…掛止片
３３…操作杆
４０…軸部
３４Ａ…切り込み
３４Ｂ…切り込み
３５…弾性部材
３６…操作突起
３７…長尺な切り込み
３８…短尺な切り込み
４０…軸部
【図１】
2012036706.tif 000003
【図２】
2012036706.tif 000004
【図３】
2012036706.tif 000005
【図４】
2012036706.tif 000006
【図５】
2012036706.tif 000007
【図６】
2012036706.tif 000008
【図７】
2012036706.tif 000009
【図８】
2012036706.tif 000010